【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
プロセッサによる実行が可能な命令のセットを記憶する非一時的コンピュータ可読記憶媒体であって、前記命令のセットは、前記プロセッサによって実行された場合、
内科疾患を有する患者から、各決定因子が、前記内科疾患に関連するセルフケア行動を順守するための前記患者の能力に作用する、複数の決定因子の各々について前記患者の能力のレベルを評価するセルフケア評価を受信することと、
前記複数の決定因子の各々についての前記患者の前記能力のレベルに基づいて、前記複数の決定因子の各々に、重みを割り当てることと、
対応する前記重みに基づいて順序付けされた前記複数の決定因子を含む、順序付けリストを作成することと、
各々が、複数の前記セルフケア行動のうちの特定の１つについてのケアプランに対する各決定因子の寄与に対応する、複数の行動固有の寄与であって、各行動固有の寄与が、関連する前記決定因子の前記重み及び関連する前記セルフケア行動の重みに基づく、当該複数の行動固有の寄与を決定することと、
前記複数の行動固有の寄与に基づいて、前記患者のケアプランを設計することと、
を含む動作を、前記プロセッサが実行するようにさせる、非一時的コンピュータ可読記憶媒体。
【請求項２】
前記セルフケア評価は、自己管理評価質問票と患者活性化測定質問票とのうちの一方である、請求項１に記載の非一時的コンピュータ可読記憶媒体。
【請求項３】
マトリクスに前記複数の行動固有の寄与を投入すること、
を更に含む、請求項１に記載の非一時的コンピュータ可読記憶媒体。
【請求項４】
前記決定因子は、疾病負担、認知制御、自己効力感、社会的支援、問題に対処する能力、不安、鬱状態、自己管理に対する意欲、集団の中での安心感、及びコンピュータスキルのうちの１つ以上を含む、請求項１に記載の非一時的コンピュータ可読記憶媒体。
【請求項５】
前記セルフケア行動は、薬の服用、症状管理、身体活動、栄養摂取、及び禁煙のうちの１つ以上を含む、請求項１に記載の非一時的コンピュータ可読記憶媒体。
【請求項６】
前記動作は、
臨床医から前記決定因子のサブセットの選択を受信することを更に含み、前記決定因子の前記選択されたサブセットのみが前記順序付けリストに含められる、
請求項１に記載の非一時的コンピュータ可読記憶媒体。
【請求項７】
最も低い使用可能重みが割り当てられた決定因子は前記順序付けリストに含められない、請求項１に記載の非一時的コンピュータ可読記憶媒体。
【請求項８】
前記複数の決定因子の各々の前記重みは、
【数４】
2017516235.tif 000001
に従って計算され、上式で、ｉは１から決定因子の量までの範囲であり、ｗｅｉｇｈｔ（Ｄｍｏｄ（ｉ））は前記決定因子の各々のスケーリングされていない重みであり、ＷＤ（Ｄｍｏｄ（ｉ））は前記決定因子の各々の前記重みである、請求項１に記載の非一時的コンピュータ可読記憶媒体。
【請求項９】
前記行動固有の寄与の各々は、ｃ（ｉ，ｊ）＝ＷＤ（Ｄｍｏｄ（ｉ））＊ＷＢ（ｊ）に従って計算され、上式で、ｉは１から決定因子の量までの範囲であり、ｊは１からセルフケア行動の量までの範囲であり、ＷＤ（Ｄｍｏｄ（ｉ））は前記決定因子の各々の前記重みであり、ＷＢ（ｊ）は前記セルフケア行動の各々に対応する前記重みであり、ｃ（ｉ，ｊ）は決定因子ｉ及びセルフケア行動ｊに対応する前記行動固有の寄与のうちの一方である、請求項１に記載の非一時的コンピュータ可読記憶媒体。
【請求項１０】
プロセッサによる実行が可能な命令のセットを記憶する非一時的コンピュータ可読記憶媒体であって、前記命令のセットは、前記プロセッサによって実行された場合、
内科疾患を有する患者から、各決定因子が、前記内科疾患に関連するセルフケア行動を順守するための前記患者の能力に作用する、複数の決定因子の各々について前記患者の能力のレベルを評価するセルフケア評価を受信することと、
セルフケア行動の各々が、各セルフケア行動がどのように実行されるかに関する複数のパラメータを含み、前記パラメータの各々が、推奨される値を有し、また、当該セルフケア行動の各々が、前記内科疾患に対応する一般化されたインパクトスコアであって、前記セルフケア行動が前記内科疾患に与える影響を各々が数値化する、当該一般化されたインパクトストアも含む、前記内科疾患に関する複数の当該セルフケア行動を、セルフケアデータベースから受信することと、
複数の患者固有のインパクトスコアを決定するために、前記決定因子のうちの１つ以上についての前記能力のレベルに基づいて、前記一般化されたインパクトスコアのうちの１つ以上を調整することと、
前記パラメータの各々についての患者入力を受信することと、
前記患者固有のインパクトスコア及び前記患者入力に基づいて、前記患者入力に従った前記パラメータを伴う前記セルフケア行動が前記内科疾患に与える影響を各々が数値化する、複数の調整済みインパクトスコアを決定することと、
グラフィカルユーザインターフェースを提供することであって、前記患者入力は前記グラフィカルユーザインターフェースを介して受信され、前記調整済みインパクトスコアは前記グラフィカルユーザインターフェースを介して提供されることと、
を含む動作を、前記プロセッサが実行するようにさせる、非一時的コンピュータ可読記憶媒体。
【請求項１１】
前記セルフケア行動は、薬の服用、症状管理、身体活動、栄養摂取、及び禁煙のうちの１つ以上を含む、請求項１０に記載の非一時的コンピュータ可読記憶媒体。
【請求項１２】
前記決定因子は、疾病負担、認知制御、自己効力感、社会的支援、問題に対処する能力、不安、鬱状態、自己管理に対する意欲、集団の中での安心感、及びコンピュータスキルのうちの１つ以上を含む、請求項１０に記載の非一時的コンピュータ可読記憶媒体。
【請求項１３】
前記グラフィカルユーザインターフェースは、タブレットデバイス、携帯電話、ノート型コンピュータ、及びデスクトップコンピュータのうちの１つを介して提供される、請求項１２に記載の非一時的コンピュータ可読記憶媒体。
【請求項１４】
前記グラフィカルユーザインターフェースはユーザ固有のデータモデルでユーザデバイスに提供され、前記ユーザ固有のデータモデルは前記患者に関連する前記セルフケアデータベースからのデータのサブセットを含む、請求項１２に記載の非一時的コンピュータ可読記憶媒体。
【請求項１５】
前記パラメータのうちの１つは、タイプ、頻度、及び強度のうちの１つである、請求項１０に記載の非一時的コンピュータ可読記憶媒体。
【請求項１６】
前記調整済みインパクトスコアの各々は、ＩｍｐａｃｔＳｃｏｒｅ’ｂｍ＝ＳｃａｌｉｎｇＦａｃｔｏｒｂｍ＊ＩｍｐａｃｔＳｃｏｒｅｂｍに従って決定され、上式で、ＩｍｐａｃｔＳｃｏｒｅｂｍは、最適に構成された場合、セルフケア行動ｂが内科疾患ｍに与える影響に対応するインパクトスコアであり、ＳｃａｌｉｎｇＦａｃｔｏｒｂｍは、前記患者固有のインパクトスコアと前記患者入力とに対応する倍率であり、ＩｍｐａｃｔＳｃｏｒｅ’ｂｍは、前記患者の場合、セルフケア行動ｂが内科疾患ｍに与える前記影響に対応するインパクトスコアである、請求項１０に記載の非一時的コンピュータ可読記憶媒体。
【請求項１７】
前記複数の倍率ＳｃａｌｉｎｇＦａｃｔｏｒｂｍの各々は、
【数５】
2017516235.tif 000002
に従って決定され、上式で、ｐａｒａｍｅｔｅｒｉは、ゼロから１００までの範囲でｉ番目のパラメータの値であり、ｗｅｉｇｈｔｉは、０から１までの範囲でｉ番目のパラメータに関連付けられた重みであり、各値ｗｅｉｇｈｔｉはゼロから１までの範囲内にあり、すべての重みｗｅｉｇｈｔｉの合計は１に等しい、請求項１６に記載の非一時的コンピュータ可読記憶媒体。
【請求項１８】
前記インパクトスコアの各々は、−１００から１００までの範囲のスケールで表される、請求項１０に記載の非一時的コンピュータ可読記憶媒体。